(57)【要約】【課題】洗剤投入部への洗剤の投入が容易になり、所定量の洗剤を確実に霧化装置に供給することができ、霧化装置が安定した性能を発揮できるようにした食器洗い機を提供する。【解決手段】食器洗い機の本体１の内部に、洗浄槽２と、洗浄槽２の内外に移動する食器かご３と、洗浄水を被洗浄物の食器７に噴射して洗浄する洗浄ノズル６と洗浄ポンプ９と、食器かご３より下側に洗浄水を霧化する霧化装置４と、霧化装置４に洗剤を導く洗剤投入部５とを備え、洗剤投入部５は食器かご３に設けられることにより、洗剤投入部５は食器かご３より低い位置にならないので食器かご３が妨げにならず、より高い位置で洗剤を投入することができ、使い勝手が向上する。また、容易に洗剤を投入することができることにより、所定量の洗剤を確実に霧化装置４に供給することができ、霧化装置４は安定した洗剤濃度の霧を発生することができる。【選択図】図１
2013052059.tif 000002
【特許請求の範囲】
【請求項１】
本体の内部に、洗浄槽と、前記洗浄槽の内外に移動する食器かごと、洗浄水を被洗浄物に噴射して洗浄する洗浄装置と、前記食器かごより下側に洗浄水を霧化する霧化装置と、前記霧化装置に洗剤を導く洗剤投入部とを備え、前記洗剤投入部は前記食器かごに設けられることを特徴とする食器洗い機。
【請求項２】
洗剤投入部は食器かごの内側領域に設けられる請求項１記載の食器洗い機。
【請求項３】
洗剤投入部は食器かごの外側領域に設けられる請求項１記載の食器洗い機。
【請求項４】
前面扉の内側に洗剤投入部が収まる凹部が設けられる請求項３記載の食器洗い機。
【請求項５】
食器かごに固定される樹脂製の小物入れが備えられ、前記洗剤投入部は前記小物入れと一体に形成される請求項１から４のうちいずれか一項記載の食器洗い機。
【請求項６】
樹脂製の食器かごが備えられ、洗剤投入部は前記食器かごと一体に形成される請求項１から５のうちいずれか一項記載の食器洗い機。
【請求項７】
洗剤投入部の底部開口部に開閉可能な蓋が備えられ、食器かごを前に引き出した時には前記蓋が閉まり、前記食器かごが所定の位置に収納された時は前記蓋が開くように構成される請求項１から６のうちいずれか一項記載の食器洗い機。
【発明の詳細な説明】
【技術分野】
【０００１】
本発明は食器等の被洗浄物を収納して洗浄する食器洗い機に関するものである。
【背景技術】
【０００２】
従来のこの種の食器洗い機は、図８に示すように構成されていた。図８において、食器洗い機は、本体１の前面に上下に分割して開閉する前面扉１１（上扉１１ａ、下扉１１ｂ）が設けられて前面が開放される。本体１内部には、洗浄槽２と、前後に移動する食器かご３と、洗浄槽２の底部に貯められた洗浄水を霧化する霧化装置４とが備えられる。霧化装置４には、洗剤を投入するための洗剤投入部５が備えられる。食器かご３は、前面扉１１が開放された時に前方に引き出すことができるように構成される。洗剤投入部５は、食器かご３が前方に引き出される時に食器かご３の移動を妨げないように、食器かご３より低い位置に配設される。そして、食器かご３は、洗剤の投入を妨げないように洗剤投入部５に重ならないように構成されていた。
【先行技術文献】
【特許文献】
【０００３】
【特許文献１】特開２００１−６１７５６号公報
【発明の概要】
【発明が解決しようとする課題】
【０００４】
しかしながら、このような従来の構成では、洗剤の投入を妨げないようにするために食器かご３が小さくなり、食器の収容量を増やすことができない。また、食器かご３が洗剤投入部５に重ならないように構成されても、洗剤投入部５が食器かご３より低い位置にあるため、洗剤の投入がやりにくく、洗剤がこぼれたりして使い勝手が悪い。また、所定量の洗剤が洗剤投入部５に入りにくく、霧化装置４の性能が安定しない。
【０００５】
本発明は、上記従来の課題を解決するもので、洗剤投入部５への洗剤の投入が容易になり、所定量の洗剤を確実に霧化装置４に供給することができ、霧化装置４が安定した性能を発揮できるようにした食器洗い機を提供する。
【課題を解決するための手段】
【０００６】
本発明は上記目的を達成するために、食器洗い機の本体の内部に、洗浄槽と、前記洗浄槽の内外に移動する食器かごと、洗浄水を被洗浄物に噴射して洗浄する洗浄装置と、前記食器かごより下側に洗浄水を霧化する霧化装置と、前記霧化装置に洗剤を導く洗剤投入部とを備え、前記洗剤投入部は前記食器かごに設けられることを特徴とするものである。
【０００７】
これにより、洗剤投入部が食器かごより低い位置にならないので食器かごが妨げにならず、より高い位置で洗剤を投入することができ、使い勝手が向上する。また、所定量の洗剤を確実に霧化装置に供給することができ、霧化装置は安定した洗剤濃度の霧の発生ができる。
【発明の効果】
【０００８】
本発明の食器洗い機は、洗剤投入部が食器かごより低い位置にならないので食器かごが妨げにならず、より高い位置で洗剤を投入することができ、使い勝手が向上する。また、所定量の洗剤を確実に霧化装置に供給することができ、霧化装置は安定した洗剤濃度の霧を発生することができる。これにより、安定した洗浄性能を発揮できる食器洗い機を提供することができる。
【図面の簡単な説明】
【０００９】
【図１】本発明の実施の形態１における食器洗い機の縦断面図
【図２】同食器洗い機の洗剤投入部が食器かごの内側領域に設けられた縦断面図
【図３】同食器洗い機の洗剤投入部が食器かごの外側領域に設けられた縦断面図
【図４】同食器洗い機の前面扉の内側に洗剤投入部が収まるように設けられた縦断面図
【図５】同食器洗い機の食器かごに固定される小物入れと洗剤投入部とが一体に形成された縦断面図
【図６】同食器洗い機の食器かごと洗剤投入部とが一体に形成された斜視図
【図７】（ａ）同食器洗い機の食器かごが引き出された状態の縦断面図（ｂ）同食器洗い機の食器かごが収納された状態の縦断面図
【図８】従来の食器洗い機の縦断面図
【発明を実施するための形態】
【００１０】
第１の発明は、本体の内部に、洗浄槽と、前記洗浄槽の内外に移動する食器かごと、洗浄水を被洗浄物に噴射して洗浄する洗浄装置と、前記食器かごより下側に洗浄水を霧化する霧化装置と、前記霧化装置に洗剤を導く洗剤投入部とを備え、前記洗剤投入部は前記食器かごに設けられることを特徴とする。この構成により、洗剤投入部は食器かごより低い位置にならないので食器かごが妨げにならず、より高い位置で洗剤を投入することができ、使い勝手が向上する。また、容易に洗剤を投入することができることにより、所定量の洗剤を確実に霧化装置に供給することができ、霧化装置は安定した洗剤濃度の霧を発生することができる。それにより、食器洗い機は安定した洗浄性能を発揮することが可能となる。
【００１１】
第２の発明は、第１の発明において、洗剤投入部は食器かごの内側領域に設けられるもので、食器かごは、洗浄槽の内部全体を利用してより大きく構成され、より多くの食器を収容することができる。
【００１２】
第３の発明は、第１の発明において、洗剤投入部は食器かごの外側領域設けられることにより、使用者は食器かごに収納された食器に妨げられることなく、洗剤を容易に投入することができる。
【００１３】
第４の発明は、第３の発明において、前面扉の内側に洗剤投入部が収まる凹部が設けられるもので、食器かごを洗浄槽の内部全体を利用して大きく構成することができ、食器の収容量を増やすことができるとともに、洗剤投入部を気にすることなく、食器を収容することができる。
【００１４】
第５の発明は、第１から第４のうちいずれかの発明において、食器かごに固定される樹脂製の小物入れが備えられ、洗剤投入部は前記小物入れと一体に形成されるもので、一体に形成することで食器かごに小物入れと洗剤投入部とを別々に固定する必要がなくなるので組み立て作業性が向上する。
【００１５】
第６の発明は、第１から第５のうちいずれかの発明において、樹脂製の食器かごが備えられ、洗剤投入部は前記食器かごと一体に形成されるもので、一体に形成することにより、食器かごに洗剤投入部を固定する必要がないので組み立て性が向上する。
【００１６】
第７の発明は、第１から第６のうちいずれかの発明において、記洗剤投入部の底部開口に開閉可能な蓋が備えられ、食器かごが前に引き出された時は前記蓋が閉まり、前記食器かごが所定の位置に収納された時は蓋が開くように構成されるもので、使用者は、食器か
ごが引き出されている時に洗剤を洗剤投入部に投入すれば、洗剤を手元に近い位置で、より容易に確実に投入することができる。
【００１７】
以下、本発明の実施の形態について、図面を参照しながら説明する。なお、従来例と同じ構成のものは同一符号を付して説明を省略する。また、この実施の形態によって本発明が限定されるものではない。
【００１８】
（実施の形態１）
図１は、本発明の実施の形態１における食器洗い機の縦断面図である。図１において、食器洗い機は、本体１の前面に上下に分割して開閉する前面扉１１（上扉１１ａ、下扉１１ｂ）が設けられて前面が開放される。上扉１１ａは上方に持ち上がるように開口し、下扉１１ｂは下端を支点に前方に倒れるように開口する。本体１内部には洗浄槽２が形成され、洗浄槽２の内側の底部に洗浄水を噴射する洗浄ノズル６が回転自在に設けられる。洗浄ノズル６の上方に、被洗浄物としての食器７を収容する食器かご３が配置される。食器かご３は、前後に動いて洗浄槽２の外に移動することができ、開口した下扉１１ｂの上部に引き出すことができるように構成されている。
【００１９】
洗浄槽２の底部に洗浄水が溜まる貯水部１０が設けられ、貯水部１０の上部を覆うように残滓フィルター１０ａが配設される。貯水部１０から洗浄ノズル６まで、途中に洗浄ポンプ９を介して配管で接続されて、洗浄装置が構成される。また、洗浄槽２の底部に洗浄水または洗浄槽２の空気を加熱するヒータ８が配設される。
【００２０】
洗浄槽２の底部の前側には、洗剤を少量の洗浄水で溶かして高濃度な洗剤液を生成し、その洗剤液をミスト化する霧化装置４が配設される。霧化装置４の上方には、投入される洗剤を霧化装置４に導く洗剤投入部５が設けられる。洗剤投入部５は、食器かご３に設けられ、食器かご３とともに移動する。そのため、洗剤投入部５は、引き出された時には下扉１１ｂに当たらないように配設され、かつ洗浄槽２へ収納された時には霧化装置４に確実に洗剤を導入するように構成される。
【００２１】
このように構成された食器洗い機の機能を説明する。食器洗い機は、洗浄工程、すすぎ工程及び乾燥工程を通じて食器７を洗浄するが、ここでは洗浄工程の概略について説明する。
【００２２】
使用者は、食器洗い機の運転を始める前に、食器かご３を洗浄槽２から引き出して汚れた食器７を配置し、配置が終わると食器かご３を洗浄槽２に収納する。そして、計量スプーンなどで所定量の洗剤を洗剤投入部５に投入し、前面扉１１を閉じて食器洗い機の運転を開始する。
【００２３】
洗浄工程が開始されると、洗浄槽２に洗浄水としてヒータ８及び霧化装置４が浸かる程度に水道水が所定量給水される。給水された洗浄水は、洗浄中にヒータ８によって加熱されて温水となる。洗浄水は、貯水部１０から洗浄ポンプ９により吸い込まれ、洗浄ノズル６に圧送される。洗浄水は洗浄ノズル６から勢いよく噴射され、この洗浄水によって、食器かご３に配置されて洗浄槽２に収納された食器７が洗浄される。食器７を洗浄した洗浄水は、再び貯水部１０に流入し、洗浄ポンプ９に吸い込まれて循環する。食器洗い機は所定時間だけ洗浄を行うと、汚れた洗浄水を排水してすすぎ工程に移る。
【００２４】
本実施の形態においては、洗剤投入部５が食器かご３に設けられている。そのため、使用者が所定量の洗剤を洗剤投入部５に投入する時、洗剤投入部５が食器かご３より低い位置にならないので食器かご３が妨げにならず、より高い位置で洗剤を投入することができ、使い勝手が良い。また、容易に洗剤を投入することができることにより、所定量の洗剤
を確実に霧化装置４に供給することができ、霧化装置４は安定した洗剤濃度の霧を発生することができる。これにより、食器洗い機は安定した洗浄性能を発揮することができる。
【００２５】
以下、洗剤投入部５を設ける位置や構成について、複数の形態について説明する。図２は、洗剤投入部５が食器かご３の内側領域に設けられた食器洗い機の縦断面図である。図２において、食器かご３は、洗浄槽２の前方で前面扉１１の近くまで構成されている。洗剤投入部５は、その食器かご３の内側領域の前部に設けられている。これにより、食器かご３は、洗剤投入部５の部分を除いて、洗浄槽２の内部全体を最大限利用してより大きな食器かご３にすることができる。従って、より多くの食器７を収容することができる。
【００２６】
図３は、洗剤投入部５が食器かご３の外側領域に設けられた食器洗い機の縦断面図である。図３において、洗剤投入部５は食器かご３の前部で外側領域に設けられている。これにより、使用者は食器かご３に収納された食器７に妨げられることなく、洗剤を容易に洗剤投入部５に投入することができる。
【００２７】
図４は、前面扉１１の内側に洗剤投入部５が収まるように設けられた食器洗い機の縦断面図である。図４において、洗剤投入部５は、食器かご３の前部で外側領域に設けられている。前面扉１１の下扉１１ｂの内側には、洗剤投入部５が収まるように凹部１１ｃが設けられている。この構成により、食器かご３は洗浄槽２の内部全体を利用して大きな食器かご３にすることができ、多くの食器７を収納することができる。さらに、使用者は食器かご３に収納された食器７に妨げられることなく、洗剤を容易に洗剤投入部５に投入することができる。
【００２８】
図５は、食器かご３に固定される小物入れ１２と洗剤投入部５とが一体に形成された食器洗い機の縦断面図である。図５において、樹脂製の小物入れ１２が食器かご３に固定されている。さらに、洗剤投入部５が小物入れ１２と一体に形成されている。この構成により、食器かご３に小物入れ１２と洗剤投入部５とを別々に配置して、別々に固定する必要がなく、１つの作業で組み立てることができるので、組み立て作業性が向上する。これまで説明した構成において、食器かご３は樹脂製でも金属製でも良い。
【００２９】
図６は、食器かご３と洗剤投入部５とが一体に形成された食器洗い機の食器かご３の斜視図である。図６において、食器かご３は樹脂製である。洗剤投入部５は、この食器かご３の前部の外側領域に一体に形成されている。この構成により、組み立て工程で食器かご３に洗剤投入部５を固定する作業がなくなり、組み立て作業性が向上する。なお、小物入れ１２は、洗剤投入部５と同様に食器かご３に一体に形成されれば、さらに組み立て作業性が向上するし、一体に形成せずに移動式とされれば、食器７の配置において自由度が向上する。
【００３０】
図７（ａ）は、食器かご３が引き出された状態の食器洗い機の縦断面図で、ある。図７において、洗剤投入部５は食器かご３の前部で外側領域に設けられている。洗剤投入部５の底部開口部１３に開閉可能な蓋１４が備えられている。この蓋１４は、重さにより開き、前面扉１１に乗り上がって閉まる構成になっている。すなわち、蓋１４は、食器かご３が前に引き出された時には閉まり、食器かご３が洗浄槽２の所定の位置に収納された時には開くように構成されている。この構成により、使用者は、食器かご３が引き出されている時にも洗剤投入部５へ洗剤を投入することができる。この時、洗剤投入部５が手元に近い位置にきているので、洗剤を、より容易に確実に投入することができる。そして、食器かご３を洗浄槽２の所定の位置に収納すると、洗剤投入部５の蓋１４が開いて洗剤が霧化装置４に落下する。
【００３１】
以上説明したように、本発明にかかる食器洗い機は、食器かごより下側に洗浄水を霧化
する霧化装置と、霧化装置に洗剤を導く洗剤投入部とを備え、洗剤投入部は食器かごに設けられることを特徴とする。この構成により、洗剤投入部は食器かごより低い位置にならないので食器かごが妨げにならず、より高い位置で洗剤を投入することができ、使い勝手が向上する。また、容易に洗剤を投入することができることにより、所定量の洗剤を確実に霧化装置に供給することができ、霧化装置は安定した洗剤濃度の霧を発生することができる。それにより、食器洗い機は安定した洗浄性能を発揮することが可能となる。
【産業上の利用可能性】
【００３２】
本発明にかかる食器洗い機は、洗剤投入部が食器かごより低い位置にならないので食器かごが妨げにならず、より高い位置で洗剤を投入することができ、使い勝手が向上する。また、安定した洗浄性能を得られる。従って、食器かごと洗剤を所定の場所に導く洗剤投入部とを備えたものであれば、いかなる型の食器洗い機にも適用できるものであり、特に家庭用の卓上型およびビルトイン型の食器洗い機に有用である。
【符号の説明】
【００３３】
１  本体
２  洗浄槽
３  食器かご
４  霧化装置
５  洗剤投入部
６  洗浄ノズル（洗浄装置）
７  食器
８  ヒータ
９  洗浄ポンプ（洗浄装置）
１０  貯水部
１０ａ  残滓フィルター
１１  前面扉
１１ａ  上扉
１１ｂ  下扉
１１ｃ  凹部
１２  小物入れ
１３  底部開口部
１４  蓋
【図１】
2013052059.tif 000003
【図２】
2013052059.tif 000004
【図３】
2013052059.tif 000005
【図４】
2013052059.tif 000006
【図５】
2013052059.tif 000007
【図６】
2013052059.tif 000008
【図７】
2013052059.tif 000009
【図８】
2013052059.tif 000010